(57)【要約】【課題】放出ガスの量を容易に調節させることができるライターを提供する。【解決手段】このライターは、ハウジング（１）と、貯蔵室（２）と、放出制御バー（３）と、少なくとも１つの点火チャンバ（４）と、少なくとも１つの点火装置（６）と、ヘッドカバーとを備えている。このライターはさらに、前記点火チャンバを支持する中央シート（５）を有し、前記流入弁が前記貯蔵室の放出弁（２３）の側に設けられ、流入弁（２２）の弁コアに、前記放出弁のケース上に設けられたギヤ（２３２）と係合する回転可能なギヤ調節機構（８）が設けられている。このような構造は、放出のときガスの量を容易に調節することができ、構造が単純で、ライターへのガスの注入後、使用に影響を及ぼさない。【選択図】図１
2005055169.tif 000002
【特許請求の範囲】
【請求項１】
ライターハウジングと、このハウジング内に設けられ、放出弁、流入弁および可燃性液体ガスを貯蔵するガスチャンバを有する貯蔵室と、前記貯蔵室からのガス供給を制御する放出ガス制御バーと、前記貯蔵室のガス流路に接続された少なくとも１つの点火チャンバと、少なくとも１つの点火手段と、前記点火チャンバを保護するヘッドカバーとを具備するライターにおいて、
前記放出弁と前記点火チャンバとの間に設けられ、前記点火チャンバを支持した中央シートをさらに具備し、前記放出弁は、前記流入弁のそばに設けられ、前記流入弁の口は、上方に配列され、前記流入弁のコアには、さらに、ギヤ調節機構が設けられ、前記放出弁のケース上には、前記ギヤ調節機構に係合されるギヤが設けられていることを特徴とするライター。
【請求項２】
前記ギヤ調節機構は、伝達装置と回転ヘッドとを有することを特徴とする請求項１に記載のライター。
【請求項３】
前記回転ヘッドは、ギヤタイプの構造、あるいは、スロット構造からなることを特徴とする請求項２に記載のライター。
【請求項４】
前記ギヤ調節機構は、前記流入弁の軸方向に沿って上方に配列され、前記中央シートの上方に少なくとも部分的に突出するか、あるいは、前記中央シート内に位置されることを特徴とする請求項１または２に記載のライター。
【請求項５】
前記ギヤ調節機構は、前記中央シートの一側に少なくとも部分的に露出されることを特徴とする請求項１または２に記載のライター。
【発明の詳細な説明】
【技術分野】
【０００１】
本発明は、点火装置に関し、特に、燃料として液相で貯蔵される可燃性ガスを使用するヘッドカバーを有するライターに関する。
【背景技術】
【０００２】
一般に、市場に出ているライターは、風防ライターおよび可燃性ライターを含み、通例、ヘッドカバーを有するライターは、ガスチャンバの底に設けられた流入弁および放出弁と、この流入弁のコアに対応するケースの底部分に設けられる小さな孔とを有し、ガスがそれへ注入されるとき、ガスチャンバは、このガスチャンバが落ち込むのを防止するために、ねじによってハウジングに固定される必要がある。上述の構造は、製造のプロセス中に、ハウジングのねじ孔をガスチャンバに整列することを極めて難しくさせることが多く、そのうえ、ガスがガスチャンバへ注入されると、多少の割合のガスが、ハウジング内の起こり得るギャップを介して点火チャンバに入ることがあり、前記点火チャンバ内のガスを不均衡に混合させ、ガスがちょうど注入されるライターが、点火されることを不可能にし、ガスの部分が分散されたままであるかぎり、使用されることができない。そのうえ、ヘッドカバーを有するライターは、通常、ガスチャンバの底に設けられた放出弁の調節機構と、ガスチャンバの底に対応する孔で密封するための調節ロッドの密封リングとを有し、これが、比較的大きな炎、あるいは、小さな炎を必要とするとき、この調節ロッドは、要望に合わせるべく、点火チャンバ内のガス量を調節するために回転される。上述の構造によれば、調節することは容易であるが、ガス漏れが発生することが極めて多く、これが極めてしっかりと組み立てられる場合、ガス漏れは有る程度までは防止されるが、これは、調節がぎこちなく行われるとき不自然に作用されることになる。
【発明の開示】
【発明が解決しようとする課題】
【０００３】
本発明の目的は、放出ガスの量を容易に調節させることができるライターを提供することである。
【０００４】
本発明の別の目的は、ガスチャンバとライターハウジングとの間に固定を必要とせず、単一の１つのボディーとして組み立てられて、容易にガスが注入されることができるライターを提供することである。
【０００５】
本発明の更なる別の目的は、点火チャンバ内の混合ガスに、点火の時間と結果とを保証するガス点火から影響を及ぼさないライターを提供することである。
【課題を解決するための手段】
【０００６】
本発明によるライターは、放出弁に近接して設けられた流入弁と、前記点火チャンバを支持するために前記放出弁と前記点火チャンバとの間に設けられた中央シートと、前記流入弁のコアに設けられた回転可能なギヤ調節機構と、前記放出弁の外側ケースに設けられ、前記ギヤ調節機構に係合されたギヤとを有する。このライターは、単に、ライターコアを前記ハウジングに設定させることによって容易に組み立てられることができ、それが、ガスを必要とするとき、前記中央シートの流入弁は、それにガスを押し込むために直接使用されることができ、このライターは、その後直ちに使用されることができる。さらに、燃焼チャンバ内のガスの量を制御するための手段である前記ギヤ調節機構は、前記流入弁の弁コアに設けられ、それは、放出弁からのガスの量を調節するように、放出弁のケースのギヤを回転することができ、密封および容易な調節の目的を達成する。
【０００７】
そのうえ、前記ガスチャンバとライターハウジングとの間のアセンブリの全セットのための固定構造が必要でないので、その結果として、密封手段が前記ライターハウジングとハウジングヘッドカバーとの間の連結部に加えられることができ、このような構造を有するライターは、極めて良好な防水効果を有し、水中作業のための要求を満たすことができる。
【０００８】
そのうえ、本発明による前記ギヤ調節機構が、前記流入弁の軸と一緒に上方に設けられ、前記中央シートから少なくとも部分的に突出するか、あるいは、そのシート内に、または、外側に位置されているので、ガスの量を調節する結果が、容易に達成されることができる。
【０００９】
本発明の目的は、ライターハウジングと、可燃性液体ガスを貯蔵するために放出弁、流入弁およびガスチャンバを有する前記ハウジング内の貯蔵室と、前記貯蔵室からのガス供給を制御する放出ガス制御バーと、前記貯蔵室のガス流路に接続された少なくとも１つの点火チャンバと、少なくとも１つの点火手段と、前記点火チャンバをカバーするヘッドカバーとを含むように達成され、さらに、前記点火チャンバを支持するために、前記放出弁と前記点火チャンバとの間に設けられる中央シートを含むことを特徴とする。前記貯蔵室は、前記放出弁のそばに設けられた流入弁と、上方に配列された前記流入弁の口とを有する。前記流入弁のコアには、さらに、ギヤ調節機構が設けられ、前記放出弁のケースには、前記ギヤ調節機構に係合されるギヤが設けられている。
【００１０】
前記ギヤ調節機構は、伝達装置と回転ヘッドとを含む。
【００１１】
さらに、前記回転ヘッドは、ギヤタイプの構造、あるいは、スロット構造からなる。
【００１２】
さらに、前記ギヤ調節機構は、前記流入弁の軸と一緒に上方に設けられ、前記中央シートの上に少なくとも部分的に突出するか、あるいは、このシート内に位置されるか、あるいは、このシートの１つの側に部分的に露出されるかである。
【００１３】
次に、本発明を以下の図面を参照としてさらに説明する。
【発明を実施するための最良の形態】
【００１４】
すべての図面を参照する：本発明による多重炎のライターは、ハウジング１と、可燃性液体ガスを保持するガスチャンバ２１と、放出弁２３および流入弁２２を有する貯蔵室２と、この貯蔵室２へのガス供給を制御する放出制御バー３と、前記貯蔵室２のガス流路に接続された点火チャンバ４と、電子的点火装置６と、点火チャンバ４を保護するヘッドカバーとを有している。さらに、前記点火チャンバ４を支持するために、中央シート（中央座部）５が、前記放出弁２３と前記点火チャンバ４との間に設けられている。上方に配列された放出口を有する前記流入弁２２は、前記放出弁２３のそばに設けられている。
【００１５】
図２を参照する。前記流入弁２２の弁コア２２１には、伝達ギヤ８１と回転ヘッド８２とを有し、回転可能なギヤ調節機構８が設けられている。図１に示されるような実施形態によれば、前記回転ヘッド８２は、スロット構造を有し、スロットに差し伸べられる人の指によって容易に回転されることができる。前記放出弁２３には、前記ギヤ調節機構８に係合されたギヤ２３２が設けられている。前記貯蔵室２に、ガスが注入されるとき、これは、ガス供給の放出口を、前記中央シート５上の前記流入弁２２の流入口２２２に整列させることよって簡単に行われることができる。注入のための力が、前記ライターハウジングの内側の方へと加えられるので、ライターケースを固定する必要がなく、さらに、ハウジング１への前記貯蔵室２のねじ固定は、省かれることができる。上述の構造により、ライターへのガス注入は、好都合に作動されることができる。
【００１６】
前記ギヤ調節機構８は、前記中央シート５の上方に少なくとも部分的に突出するか、あるいは、前記中央シート５内に位置されているので、その注入作動の間に、あったとしても、漏出される多少のガスは、前記点火チャンバ４およびハウジング１に容易に入ることはなく、ライターは、注入作動直後使用されることができ、良好な点火結果が影響を受けることはない。
【００１７】
図１を参照すると、前記流入弁２２と前記中央シート５との間に所定のスペースがあるので、弁コア２２１は、独立した構造で作られることができ（図２を参照）、ガス注入のプロセスの間起こり得る過剰な長さによって生じる弁コア２２１の変形および前記弁コア２２１の密封手段への不利な影響を防止する。
【００１８】
図２を参照すると、ライターが使用されるとき、比較的高い炎が必要な場合、あるいは、炎が短すぎる場合、前記ギヤ調節機構８内の、前記中央シート５の一端側の前記回転ヘッド８２は、手で回転されることができ、前記ギヤ調節機構８の他端側のギヤ８１は、前記放出弁２３のケース２３１上の前記ギヤ２３２を上方へ回転させ、前記放出弁２３内の多孔性スポンジ２３３を解放し、前記ガスチャンバ２１内の多くのガスを吸収手段２３４と前記放出弁２３とを通過させ、前記放出弁２３において多くのガス供給の結果を達成する。この時炎は高くされることは明らかである。ライターが使用されるとき、より短い炎が必要な場合、あるいは、炎が過剰に高い場合、前記ギヤ調節機構の前記回転ヘッド８２は、反対の方向に回転され、前記ギヤ調節機構８の他端側のギヤ８１は、前記放出弁２３のケース２３１の前記ギヤ２３２を下方に回転させ、前記放出弁２３内の多孔性のスポンジ２３３を押し、前記ガスチャンバ２１内の少ないガスを吸収手段２３４と前記放出弁２３とを介して通過させ、前記放出弁２３で少ないガス供給の結果を達成する。この時点での炎は、短くされることは明らかである。このような作動は、指の力を前記ギヤ調節機構８の突出する端部の上に十分に印加させることができ、前記放出弁２３の前記ケース２３１と前記放出弁コア２３５との間に、あるいは、前記放出弁２３の前記ケース２３１とガスチャンバ２１との間により堅固な密封があるとしても、容易な調節および安定して密封が、なお達成されることができる。
【００１９】
図３を参照すると、この実施形態の技術的解決は、図１によって示されるのと類似しており、主に、前記点火装置６は、さらに、発火石スパーク手段と、１つは風防点火チャンバ４であり、もう１つは炎点火チャンバ４’である２つの点火チャンバとを有しているという点が異なっている。
【００２０】
図４を参照すると、この実施形態の技術的解決は、さらに、１つは風防点火チャンバ４であり、もう１つは炎点火チャンバ４’である２つの点火チャンバを有するという点で、図３に示されるのに類似している。これらの間の主な相違は、前記ギヤ調節機構８の回転ヘッド８２が、ギヤタイプの構造からなり、そのうえ、前記ギヤ調節機構８の前記回転ヘッド８２の部分が、前記放出弁２３からのガス供給の容易な調節のために中央シート５の１つの側に露出されているということである。
【００２１】
好ましい実施形態を図面を参照として詳細に説明してきたが、上記の説明は、単に、本発明を例示するためであり、限定するものではなく、様々な変更、あるいは、変形は、本発明の概念の精神内で実施形態に対して行われることができ、本発明の保護の範囲内にあるということは当業者には明らかである。
【図面の簡単な説明】
【００２２】
【図１】本発明の第１の実施形態の構造を示す図である。
【図２】放出弁および流入弁の部分的構造を示す断面図である。
【図３】本発明の第２の実施形態の構造を示す断面図である。
【図４】本発明の第３の実施形態の構造を示す断面図である。
【符号の説明】
【００２３】
１…ライターハウジング；２…貯蔵室；２１…ガスチャンバ；２２…流入弁；２２１…弁コア；２２２…流入弁の口；２３…放出弁；２３１…放出弁のケース；２３２…放出弁のケースのギヤ；２３３…多孔性のスポンジ；２３４…吸収手段；３…放出制御バー；４，４’…点火チャンバ；５…中央シート；６，６’…点火装置；７…ヘッドカバー；８…ギヤ調節機構；８１…伝達装置；８２…回転ヘッド
【図１】
2005055169.tif 000003
【図２】
2005055169.tif 000004
【図３】
2005055169.tif 000005
【図４】
2005055169.tif 000006